(57)【要約】【課題】  従来の私的利用の枠組の中で、コンテンツに係る著作権保護に配慮しながら、コンテンツ利用に係るユーザの利便性を向上させる。【解決手段】  無線ＩＤ受信機付再生装置（コンテンツデータ再生装置）１１０によって、製品を特定するための製品情報を保持する無線ＩＤタグ１０１が取り付けられた無線ＩＤタグ付記録媒体（記録媒体）１００内のコンテンツの再生を行う。コンテンツデータ再生装置は、記録媒体からコンテンツを読み出す一方、無線ＩＤタグから製品情報を受信し、コンテンツと製品情報とを関連付けて、コンテンツ格納部１１６に格納する。格納されたコンテンツの再生の際は、周辺に存在する無線ＩＤタグから製品情報を受信し、受信した製品情報とコンテンツに関連付けられた製品情報とを比較し、両者が一致した場合にコンテンツの再生することにより、無線ＩＤタグから製品情報を受信できる範囲内でのみコンテンツの再生が行われる。【選択図】  図１
2005033728.tif 000002
【特許請求の範囲】
【請求項１】
製品情報を含む情報を保持する無線ＩＤタグが取り外し不可能なように取り付けられた記録媒体に記録されているコンテンツデータを再生するためのコンテンツデータ再生装置であって、
所定の電磁波を発信し、前記所定の電磁波を感応して前記無線ＩＤタグから発信される前記製品情報を含む情報を受信する無線ＩＤ受信手段と、
前記記録媒体から前記コンテンツデータの読み出しを行うコンテンツ読み出し手段と、
前記コンテンツデータの再生を行うコンテンツ再生手段と、
前記無線ＩＤ受信手段で受信した前記製品情報に対応する情報と、前記コンテンツ読み出し手段によって前記記録媒体から読み出された前記コンテンツデータとの関連付けを行うコンテンツ関連付け手段と、
前記コンテンツ関連付け手段によって前記製品情報に対応する情報と関連付けられた前記コンテンツデータを、前記製品情報に対応する情報と共に格納するためのコンテンツ格納手段と、
前記コンテンツ格納手段に格納されたコンテンツデータを再生する際に、前記無線ＩＤ受信手段によって前記無線ＩＤタグから受信した製品情報と、前記再生すべきコンテンツデータと関連付けられて前記コンテンツ格納手段に格納されている製品情報に対応する情報とを比較し、前記比較した２つの情報が関連していると判定された場合に、前記コンテンツ再生手段に前記コンテンツデータの再生許可の指示を送出する情報判定手段とを、
有するコンテンツデータ再生装置。
【請求項２】
外部ネットワークと接続し、前記外部ネットワーク上のデータベースから情報を取得することが可能なネットワーク接続手段と、
前記コンテンツ格納手段に格納されたコンテンツデータを前記コンテンツ再生手段で再生する際に、再生すべき前記コンテンツデータと関連付けられて前記コンテンツ格納手段に格納されている前記情報に含まれている通信範囲規定情報、及び、前記ネットワーク接続手段を介して前記データベースから取得した通信範囲規定情報の少なくとも一方に従って、前記無線ＩＤタグから前記情報を受信することができる受信可能範囲を規定するために前記無線ＩＤ受信手段による前記所定の電磁波の出力を制御するための動作範囲制御手段とを、
有する請求項１に記載のコンテンツデータ再生装置。
【発明の詳細な説明】
【技術分野】
【０００１】
本発明は、記録媒体に記録されているコンテンツデータ（以下、コンテンツと呼ぶ）を再生するためのコンテンツデータ再生装置に関し、特に、コンテンツに関して、不正な複製や不正な利用などが行われないように著作権の保護機能を有するコンテンツデータ再生装置に関する。
【背景技術】
【０００２】
近年、通信技術の進歩によって通信ネットワークは急激に発達してきており、現在は一般家庭からでも、ＡＤＳＬ（Assymmetrical Digital Subscriber Line：非対称デジタル加入者回線）やＦＴＴＨ（Fiber to the Home：ファイバトゥーザホーム）などの高速通信回線を利用することができるようになっている。
【０００３】
従来は、ネットワークに接続する通信装置として、主にＰＣ（Personal Computer：パーソナルコンピュータ）が用いられてきたが、通信技術の進歩によって、家電業界においても次々とネットワークを利用した製品が開発、販売され始めている。その多くは、ファームウェアのアップデートやＥＰＧ（Electronic Program Guide：電子番組ガイド）の提供など、製品の付加的な情報をネットワーク経由で利用できるものである。
【０００４】
また、例えば、下記の非特許文献１には、インターネット接続機能を有するデジタルテレビが記載されている。このデジタルテレビは、ＡＤＳＬなどの高速通信回線を接続し、テレビ画面上でＨＴＭＬ（Hyper Text Markup Language）に準拠したコンテンツを閲覧したり、双方向通信を利用した視聴者参加型番組を楽しんだりすることが可能である。
【非特許文献１】日本経済新聞  ２００３年３月２７日  『ネットＴＶ  規格統一』
【発明の開示】
【発明が解決しようとする課題】
【０００５】
ところで、一般家庭のブロードバンド化に伴って、企業及びユーザの両者が最も期待しているのは、ネットワークを介して高画質・高音質の映画や音楽などの各種デジタルコンテンツを配信することであった。しかしながら、デジタルコンテンツは、オリジナルコンテンツと完全に同一の品質を有する複製コンテンツを作成することが可能である。このことから、デジタルコンテンツのネットワーク配信に関しては、著作権の問題上、実際にはその実現に向けた動きはあまり活発ではない。
【０００６】
一方、従来、コンテンツ購入者自身が個人で利用する私的利用の範囲に限って、ＭＤやテープなどへのコンテンツの複製が許容されている。しかしながら、ネットワークを利用すれば、不特定多数のユーザへのコンテンツの配信が簡単にできてしまうため、コンテンツの複製及び配信に対しては厳しく制限する必要がある。
【０００７】
また、ネットワークに接続する前段階で、ＰＣ上でのコンテンツの複製を防止することを可能とするＣＣＣＤ（Copy Control Compact Disk：コピーコントロールＣＤ）が存在している。しかしながら、このＣＣＣＤは本来のＣＤ規格には準拠していないため、ＣＣＣＤを再生できない機器が存在し、ＣＣＣＤに記録された音楽などを普通に再生できない場合がある。このように、コンテンツ提供者側で著作権保護を重要視するあまり、ユーザに実害が生じる事例が起こり始めている。
【０００８】
上記問題点に鑑み、本発明は、従来の私的利用の枠組の中で、コンテンツに係る著作権保護に配慮しながら、コンテンツ利用に係るユーザの利便性を向上させることが可能なコンテンツデータ再生装置を提供することを目的とする。
【課題を解決するための手段】
【０００９】
上記目的を達成するために、本発明では、製品情報を含む情報を保持する無線ＩＤタグが取り外し不可能なように取り付けられた記録媒体に記録されているコンテンツデータを再生するためのコンテンツデータ再生装置であって、
所定の電磁波を発信し、前記所定の電磁波を感応して前記無線ＩＤタグから発信される前記製品情報を含む情報を受信する無線ＩＤ受信手段と、
前記記録媒体から前記コンテンツデータの読み出しを行うコンテンツ読み出し手段と、
前記コンテンツデータの再生を行うコンテンツ再生手段と、
前記無線ＩＤ受信手段で受信した前記製品情報に対応する情報と、前記コンテンツ読み出し手段によって前記記録媒体から読み出された前記コンテンツデータとの関連付けを行うコンテンツ関連付け手段と、
前記コンテンツ関連付け手段によって前記製品情報に対応する情報と関連付けられた前記コンテンツデータを、前記製品情報に対応する情報と共に格納するためのコンテンツ格納手段と、
前記コンテンツ格納手段に格納されたコンテンツデータを再生する際に、前記無線ＩＤ受信手段によって前記無線ＩＤタグから受信した製品情報と、再生すべき前記コンテンツデータと関連付けられて前記コンテンツ格納手段に格納されている製品情報に対応する情報とを比較し、前記比較した２つの情報が関連していると判定された場合に、前記コンテンツ再生手段に前記コンテンツデータの再生許可の指示を送出する情報判定手段とを、
有するコンテンツデータ再生装置が提供される。
【００１０】
さらに、本発明では、上記発明に加えて、外部ネットワークと接続し、前記外部ネットワーク上のデータベースから情報を取得することが可能なネットワーク接続手段と、
前記コンテンツ格納手段に格納されたコンテンツデータを前記コンテンツ再生手段で再生する際に、前記再生すべきコンテンツデータと関連付けられて前記コンテンツ格納手段に格納されている前記情報に含まれている通信範囲規定情報、及び、前記ネットワーク接続手段を介して前記データベースから取得した通信範囲規定情報の少なくとも一方に従って、前記無線ＩＤタグから前記情報を受信することができる受信可能範囲を規定するために前記無線ＩＤ受信手段による前記所定の電磁波の出力を制御するための動作範囲制御手段とを、
有するコンテンツデータ再生装置が提供される。
【発明の効果】
【００１１】
本発明によれば、製品情報を含む情報を保持する無線ＩＤタグが取り外し不可能なように取り付けられた記録媒体に記録されているコンテンツデータを再生するためのコンテンツデータ再生装置であって、所定の電磁波を発信し、前記所定の電磁波を感応して前記無線ＩＤタグから発信される前記製品情報を含む情報を受信する無線ＩＤ受信手段と、前記記録媒体から前記コンテンツデータの読み出しを行うコンテンツ読み出し手段と、前記コンテンツデータの再生を行うコンテンツ再生手段と、前記無線ＩＤ受信手段で受信した前記製品情報に対応する情報と、前記コンテンツ読み出し手段によって前記記録媒体から読み出された前記コンテンツデータとの関連付けを行うコンテンツ関連付け手段と、前記コンテンツ関連付け手段によって前記製品情報に対応する情報と関連付けられた前記コンテンツデータを、前記製品情報に対応する情報と共に格納するためのコンテンツ格納手段と、前記コンテンツ格納手段に格納されたコンテンツデータを再生する際に、前記無線ＩＤ受信手段によって前記無線ＩＤタグから受信した製品情報と、再生すべき前記コンテンツデータと関連付けられて前記コンテンツ格納手段に格納されている製品情報に対応する情報とを比較し、前記比較した２つの情報が関連していると判定された場合に、前記コンテンツ再生手段に前記コンテンツデータの再生許可の指示を送出する情報判定手段とを有するコンテンツデータ再生装置が提供されるので、無線ＩＤ受信機が無線ＩＤタグ付記録媒体に取り付けられた無線ＩＤタグから製品情報を受信できる範囲内に無線ＩＤタグ付記録媒体が存在する場合にのみ、コンテンツ格納部に一時格納されたコンテンツを再生することが可能となり、従来の私的利用の枠組の中で、コンテンツに係る著作権保護に配慮しながら、コンテンツ利用に係るユーザの利便性を向上させることが可能となる。
【００１２】
また、さらに、本発明によれば、上記発明に加えて、外部ネットワークと接続し、前記外部ネットワーク上のデータベースから情報を取得することが可能なネットワーク接続手段と、前記コンテンツ格納手段に格納されたコンテンツデータを前記コンテンツ再生手段で再生する際に、前記再生すべきコンテンツデータと関連付けられて前記コンテンツ格納手段に格納されている前記情報に含まれている通信範囲規定情報、及び、前記ネットワーク接続手段を介して前記データベースから取得した通信範囲規定情報の少なくとも一方に従って、前記無線ＩＤタグから前記情報を受信することができる受信可能範囲を規定するために前記無線ＩＤ受信手段による前記所定の電磁波の出力を制御するための動作範囲制御手段とを有するコンテンツデータ再生装置が提供されるので、コンテンツ再生の際に、無線ＩＤタグ付記録媒体の存在する範囲を規定することが可能となり、コンテンツの不正な流出や、ネットワークを利用して配信されたコンテンツの利用などを防ぐことが可能となり、さらに、コンテンツの利用可能条件を無線ＩＤタグからの情報の受信可能範囲によって規定することによって、新しい課金体系や新しいビジネスモデルの創造も可能となる。
【発明を実施するための最良の形態】
【００１３】
以下、図面を参照しながら、本発明の実施の形態について説明する。図１は、本発明の実施の形態に係る機器構成図である。無線ＩＤタグ付記録媒体１００は、各種コンテンツが記録可能なＣＤ、ＤＶＤ、ＶＨＳテープなどの記録媒体の一部に、非常に微細な無線ＩＤタグ１０１が埋め込まれたものである。なお、コンテンツとは、動画や音楽などのデータに加え、各種ソフトウェア（アプリケーション）など、記録媒体に記録可能なデジタルデータ全般を指すものである。また、コンテンツの再生とは、動画や音楽などのコンテンツの再生に加え、各種ソフトウェアの利用も含まれる。
【００１４】
無線ＩＤタグ１０１は、取り外し不可能な状態で記録媒体に取り付けられるか、又は、この無線ＩＤタグ１０１を記録媒体から取り外した場合には、記録媒体に記録されているコンテンツの再生が不可能となるように取り付けられている。この無線ＩＤタグ１０１は、特定の電磁波を感応することによって発電し、その電力を使用して無線ＩＤタグ１０１内に格納されている情報を発信することが可能である。例えば、無線ＩＤタグ１０１は、超小型のＩＣチップの周りにコイル状のアンテナを設けて、近距離通信（通常、数十センチメートルから数メートルの距離）によってＩＣチップ内の情報を送信できる構成とすることにより実現可能である。また、無線ＩＤタグ１０１内の情報には、それが取り付けられている製品を特定するためのユニークＩＤ（製品情報）が最低限含まれている。
【００１５】
なお、無線ＩＤタグ付記録媒体１００を１つの製品とみなし、同一のコンテンツが記録された無線ＩＤタグ付記録媒体１００に対して、同一の製品情報が設定されるようにすることも可能である。また、コンテンツを１つの製品とみなし、同一のコンテンツに対して、同一の製品情報が設定されるようにすることも可能である。
【００１６】
また、個々の無線ＩＤタグ付記録媒体１００に対して割り当てられているシリアルナンバーを、製品情報とみなすことも可能である。この場合には、後述の間接再生時における再生条件は厳しくなり、コンテンツ格納部１１６へのコンテンツ格納時に使用した無線ＩＤタグ付記録媒体１００が周囲に存在しない場合には、コンテンツ再生部１１３による再生は不可能となる。
【００１７】
また、無線ＩＤタグ１０１内の情報としては、製品情報に加えて、無線ＩＤタグ付記録媒体１００に記録されているコンテンツの再生の可・不可を示す再生制限情報、再生可能回数を示す再生回数制限情報、複製の可・不可を示す複製制限情報、複製可能回数を示す複製回数制限情報、配信の可・不可を示す配信制限情報、配信可能回数を示す配信回数制限情報などの付加情報を設定することも可能である。
【００１８】
一方、無線ＩＤ受信機付再生装置１１０は、無線ＩＤタグ付記録媒体１００内のコンテンツを直接又は間接的に再生することが可能なコンテンツデータ再生装置である。なお、無線ＩＤ受信機付再生装置１１０が再生可能なコンテンツの種別は特に限定されず、音楽や動画、各種ソフトウェアなどの様々な種別のコンテンツを再生することが可能である。無線ＩＤ受信機付再生装置１１０は、無線ＩＤ受信機１１１、コンテンツ読み出し部１１２、コンテンツ再生部１１３、ネットワーク接続部１１４、コンテンツ情報処理部１１５、コンテンツ格納部１１６、動作範囲制御部１１７を有している。
【００１９】
無線ＩＤ受信機１１１は、無線ＩＤタグ付記録媒体１００に埋め込まれた無線ＩＤタグ１０１に対して所定の電磁波を送り、無線ＩＤタグ１０１がその電磁波を感応して発電して発信した情報を受信する。また、コンテンツ読み出し部１１２は、各記録媒体の種別に適した読み出し方式によって、記録媒体に記録されているコンテンツの読み出しを行う。
【００２０】
また、コンテンツ再生部１１３は、各種コンテンツの再生や利用が可能なものであり、従来から存在するコンテンツの再生や利用に係る装置に相当する。また、ネットワーク接続部１１４は、イーサネット（Ｒ）などを介して、外部ネットワーク１２０上に存在するＣＤＤＢ（Compact Disk Data Base）などのコンテンツデータベース１２１や、コンテンツ再生時にコンテンツの対価の決済を行う課金・決済データベース１２２との接続を可能とする。
【００２１】
また、コンテンツ情報処理部１１５は、無線ＩＤ受信機１１１で受信した製品情報や、必要に応じてネットワーク接続部１１４を介して外部ネットワーク１２０上のコンテンツデータベース１２１、課金・決済データベース１２２から取得した付加情報、課金決済情報の処理を行う。具体的には、コンテンツ情報処理部１１５は、無線ＩＤ受信機１１１で受信した製品情報に対応する情報（製品情報そのものや、製品情報からユニークに導き出せる付加情報など）やその他の情報（課金決済情報など）と、コンテンツ読み出し部１１２によって無線ＩＤタグ付記録媒体１００から読み出されたコンテンツ（あるいはソフトウェア）との関連付けを行うコンテンツ関連付け手段としての機能と、コンテンツ格納部１１６に格納されたコンテンツを再生する際に、無線ＩＤ受信機１１１によって無線ＩＤタグ１０１から受信した製品情報と、再生すべきコンテンツと関連付けられてコンテンツ格納部１１６に格納されている製品情報に対応する情報とを比較して、これらの情報が関連しているか否かを判定し、関連があることが確認できたならば、コンテンツ再生部１１３に対してコンテンツの再生許可の指示を送出する情報判定手段としての機能とを、少なくとも有するものである。
【００２２】
また、コンテンツ格納部１１６は、コンテンツ再生部１１３により再生されたコンテンツ（あるいはソフトウェア）と、コンテンツ情報処理部１１５により処理された製品情報及び付加情報、課金決済情報などを関連付けて、これらの関連付けられた情報を一時的に格納する。また、動作範囲制御部１１７は、無線ＩＤ受信機１１１が発信する電磁波の方向や強さを制御するものであり、無線ＩＤタグ１０１の存在を認識できる範囲を規定することが可能となる。
【００２３】
また、無線ＩＤ受信機付再生装置１１０は、操作パネルやキーボード、マウスなどの操作入力手段（不図示）やディスプレイ（不図示）なども有している。無線ＩＤ受信機付再生装置１１０は、操作入力手段による情報入力やディスプレイによる情報表示が可能なＧＵＩ（Graphical User Interface）を実装することによって、ユーザは、ＧＵＩを介してコンテンツ再生部１１３やコンテンツ情報処理部１１５を使用することが可能である。
【００２４】
また、無線ＩＤタグ１０１から受信した製品情報や付加情報、また、必要に応じてコンテンツデータベース１２１、課金・決済データベース１２２から取得した付加情報、課金決済情報などをディスプレイ上で参照することによって、ユーザはコンテンツに係る詳細な情報を知ることが可能であり、また、簡単にコンテンツの購入を行うことも可能である。なお、コンテンツデータベース１２１から取得可能な付加情報は、例えば、ＣＤＤＢから取得可能な楽曲のタイトルや演奏者名などの情報である。また、課金・決済データベース１２２から取得する課金決済情報は、例えば、コンテンツの再生、複製、配信の可・不可やそれらの回数を規定する情報であり、クレジットカードによる決済などの所定の決済方法を経て課金決済情報を取得することによって、コンテンツ再生に係る様々な制限を解除又は緩和することが可能となる。
【００２５】
次に、無線ＩＤ受信機付再生装置１１０によって無線ＩＤタグ付記録媒体１００内に記録されているコンテンツの再生動作について説明する。本発明では、無線ＩＤタグ付記録媒体１００に記録されているコンテンツを読み出して再生を行う直接再生、無線ＩＤタグ付記録媒体１００に記録されているコンテンツをいったんコンテンツ格納部１１６に格納し、コンテンツ格納部１１６に格納されているコンテンツを読み出して再生を行う間接再生の２種類のコンテンツ再生動作が存在する。
【００２６】
直接再生では、無線ＩＤタグ付記録媒体１００内に記録されているコンテンツは、コンテンツ読み出し部１１２によって読み出され、読み出されたコンテンツは、通常のコンテンツ再生処理に従ってコンテンツ再生部１１３によって再生される。したがって、直接再生は、無線ＩＤタグ１０１の有無によらずに行われる従来のコンテンツ再生処理と同一である。なお、直接再生において、無線ＩＤ受信機１１１が無線ＩＤタグ１０１から製品情報を受信し、その製品情報を参照して、コンテンツ情報処理部１１５が、コンテンツの再生の可・不可を判定して、コンテンツ再生部１１３におけるコンテンツ再生制御を行うことも可能である。
【００２７】
このコンテンツ再生制御によって、無線ＩＤタグ１０１の埋め込まれていない記録媒体、不正な無線ＩＤタグ１０１が埋め込まれた記録媒体、無線ＩＤタグ１０１内にコンテンツの再生不可の情報などが含まれている記録媒体などに記録されているコンテンツの再生が不可能となるよう制御することが可能となる。
【００２８】
一方、間接再生では、無線ＩＤタグ付記録媒体１００に記録されているコンテンツを無線ＩＤタグ１０１から受信した製品情報と関連付けて、コンテンツ格納部１１６に格納し、コンテンツ再生時には、コンテンツ格納部１１６に格納されているコンテンツを読み出して再生を行う。
【００２９】
図２は、本発明の実施の形態における間接再生の際にコンテンツ格納部にコンテンツの格納を行うための無線ＩＤ受信機付再生装置の動作を示すフローチャートである。まず、コンテンツ再生部１１３は、無線ＩＤタグ付記録媒体１００からコンテンツを読み出す（ステップＳ２０１）。この際に読み出すコンテンツは、無線ＩＤタグ付記録媒体１００内に記録されている一部のコンテンツでもよく、すべてのコンテンツでもよい。また、単に無線ＩＤタグ付記録媒体１００からコンテンツを読み出すだけでもよく、読み出しと同時に再生を行う（すなわち、直接再生を行う）ことも可能である。無線ＩＤタグ付記録媒体１００から読み出されたコンテンツは、例えば、不図示のＲＡＭ（Random Access Memory）などに格納される。
【００３０】
一方、無線ＩＤ受信機１１１は、コンテンツの読み出し対象である無線ＩＤタグ付記録媒体１００に埋め込まれた無線ＩＤタグ１０１に対して所定の電磁波を送り（ステップＳ２０３）、この電磁波を感応して発電が行われて無線ＩＤタグ１０１から発信された製品情報を受信する（ステップＳ２０５）。また、さらに必要に応じて、ネットワーク接続部１１４を介して、コンテンツデータベース１２１からの付加情報の取得や、課金・決済データベース１２２からの課金決済情報の取得を行う（ステップＳ２０７）。このデータベース１２１、１２２からの情報取得によって、無線ＩＤ受信機付再生装置１１０は、例えば、データベース１２１、１２２に対して製品情報を送信して、その製品に係る最新情報を取得し、コンテンツに関する情報に反映することが可能となる。
【００３１】
そして、コンテンツ情報処理部１１５によって、無線ＩＤタグ付記録媒体１００から読み出されたコンテンツと、無線ＩＤタグ１０１から受信した製品情報と、外部のデータベース１２１、１２２から取得した付加情報や課金決済情報との関連付けが行われ（ステップＳ２０９）、これらの関連付けられた情報が、コンテンツ格納部１１６に格納される（ステップＳ２１１）。なお、これらの情報の関連付けでは、例えば、単に、コンテンツ、製品情報、付加情報及び課金決済情報がそれぞれ関連していることを記憶することも可能であり、また、コンテンツや付加情報及び課金決済情報を製品情報によって暗号化し、製品情報を復号化鍵として復号することによってのみ、コンテンツが取り出せないようにすることも可能である。
【００３２】
また、無線ＩＤタグ１０１に記載されている製品情報に格納不可のフラグがある場合や、ネットワーク接続部１１４を介して外部ネットワーク１２０上のコンテンツデータベース１２１、課金・決済データベース１２２から取得された付加情報及び課金決済情報に、格納不可を示す情報が存在する場合には、コンテンツ格納部１１６へのコンテンツの格納は不可能である。この場合には、コンテンツ再生部１１３は、無線ＩＤタグ付記録媒体１００内のコンテンツを直接再生することしかできず、間接再生は許容されない。
【００３３】
このようにして、無線ＩＤタグ付記録媒体１００内に格納されているコンテンツは、少なくとも無線ＩＤタグ１０１に含まれる製品情報と共に、コンテンツ格納部１１６に格納されることとなる。間接再生では、このコンテンツ格納部１１６に格納されているコンテンツの再生を行う。
【００３４】
図３は、本発明の実施の形態における間接再生の際にコンテンツ格納部に格納されたコンテンツの再生を行うための無線ＩＤ受信機付再生装置の動作を示すフローチャートである。まず、コンテンツ再生部１１３は、コンテンツ格納部１１６からコンテンツを読み出す（ステップＳ３０１）。このコンテンツの読み出しでは、例えば、ユーザによって再生指示された所望のコンテンツのみが読み出される。
【００３５】
一方、無線ＩＤ受信機１１１は、無線ＩＤ受信機付再生装置１１０の周囲に存在する無線ＩＤタグ１０１に対して所定の電磁波を送り（ステップＳ３０３）、この電磁波を感応して発電が行われて無線ＩＤタグ１０１から発信される製品情報の受信待機状態となる（ステップＳ３０５で『待機』）。例えば、所定の時間を超えても、無線ＩＤタグ１０１から応答（製品情報の送信）がない場合（ステップＳ３０７で『時間超過』）には、周囲に無線ＩＤタグ付記録媒体が存在しないと判断され、エラーメッセージの表示など、コンテンツ再生不可の処理が行われて（ステップＳ３０９）、コンテンツ再生処理を終了する。
【００３６】
また、所定時間内に、無線ＩＤタグ１０１から製品情報を受信した場合（ステップＳ３０５で『受信』）には、コンテンツ情報処理部１１５によって、無線ＩＤタグ１０１から受信した製品情報と、再生を行おうとしているコンテンツに関連付けられた製品情報とが同一か否かが判定される（ステップＳ３１１）。２つの製品情報が同一の場合（ステップＳ３１１で『はい』）には、コンテンツ情報処理部１１５からコンテンツ再生部１１３にコンテンツの再生許可に係る指示が送出されて、コンテンツ再生部１１３でコンテンツの再生処理が行われる（ステップＳ３１３）。
【００３７】
なお、本実施の形態では、無線ＩＤタグ１０１から受信した製品情報と、再生を行おうとしているコンテンツに関連付けられた製品情報とが同一か否かを判定する処理を行っているが、本発明は、上記の処理に限定されるものではない。例えば、コンテンツ格納部１１６にコンテンツを格納する際、製品情報は格納せずに、タイトル名や演奏者名などの付加情報と共にコンテンツを格納した場合でも、無線ＩＤ受信機付再生装置１１０は、無線ＩＤタグ１０１から受信した製品情報を利用してコンテンツデータベース１２１にタイトル名や演奏者名など情報を問い合わせ、その問い合わせの結果を参照して、無線ＩＤタグ１０１から受信した製品情報と、コンテンツ格納部１１６に格納されているコンテンツとが関連しているか否かを判定することも可能である。
【００３８】
また、無線ＩＤタグ１０１から発信される製品情報に再生回数のフラグが存在する場合や、ネットワーク接続部１１４を介して外部ネットワーク１２０上のコンテンツデータベース１２１や課金・決済データベース１２２から取得した付加情報及び課金決済情報に再生回数の制限を示す情報が存在する場合には、その制限を超えて、コンテンツ格納部１１６に格納されているコンテンツを再生することはできない。
【００３９】
この場合には、制限を超えた時点で直ちにコンテンツ格納部１１６からコンテンツを削除するか、又は、課金により再生が可能になる場合には、ユーザに対して、ネットワーク接続部１１４を介して外部ネットワーク１２０上の課金決済データベース１２１から再生回数の増加や再生制限の解除を可能とする新たな課金決済情報の取得を促す表示などを行う。そして、新たに課金決済情報が取得され、コンテンツの再生が可能となった場合には、コンテンツの再生処理を行う。
【００４０】
一方、ステップＳ３１１で無線ＩＤタグ１０１から受信した製品情報と、再生を行おうとしているコンテンツに関連付けられた製品情報とが同一でないと判断された場合（ステップＳ３１１で「いいえ」）には、再び、ステップＳ３０５の受信待機状態に戻ることによって、無線ＩＤ受信機付再生装置１１０の周囲に、所望の製品情報を保持する無線ＩＤタグ１０１を含む複数の無線ＩＤタグ１０１が存在する場合でも、順次、複数の無線ＩＤタグ１０１のそれぞれから製品情報を受信することによって、所望の製品情報を受信し、コンテンツ再生処理を行うことが可能となる。
【００４１】
また、例えば、間接再生のためにコンテンツ格納部１１６にコンテンツを格納する際、コンテンツ情報処理部１１５がコンテンツ再生部１１３を限定する固有番号をコンテンツに付加してコンテンツ格納部１１６に格納することによって、コンテンツ格納部１１６に格納されたコンテンツが、特定のコンテンツ再生部１１３を有するコンテンツデータ再生装置のみで再生可能であり、その他のコンテンツデータ再生装置では再生不可能とすることも可能である。
【００４２】
以上のように、間接再生においても、再生しようとするコンテンツが記録されている製品が、無線ＩＤ受信機付再生装置１１０の周囲に存在し、その無線ＩＤタグ１０１から製品情報を受信できた場合のみ再生が可能となる。したがって、無線ＩＤタグ付記録媒体１００に記録されているコンテンツの再生の際には、コンテンツ再生を行う無線ＩＤ受信機付再生装置１１０の周囲にそのコンテンツが記録された製品が存在していることが再生条件の１つとなり、私的利用の範囲内でコンテンツの複製や利用を許容するとともに、著作権の問題と絡む不正な複製や利用を制限することが可能となり、ユーザにとって大きな利便性をもたらす。
【００４３】
また、上記の間接再生において、例えば、動作範囲制御部１１７によって、無線ＩＤ受信機１１１が発信する電磁波の方向や強さを制御することも可能である。この動作範囲制御部１１７は、例えば、無線ＩＤ受信機１１１が出力する電磁波の出力ワット数を制御したり、無線ＩＤ受信機１１１が発信する電磁波の指向性を制御したりすることによって、無線ＩＤ受信機１１１が発信できる電磁波の強さや方向、無線ＩＤ受信機１１１が受信できる電磁波の強さや方向を制御することが可能である。
【００４４】
また、動作範囲制御部１１７が、送受信可能な範囲を規定する通信範囲規定情報に従って、無線ＩＤ受信機１１１が発信する電磁波の方向や強さを制御できるようにすることも可能である。この場合、例えば、無線ＩＤタグ１０１内の情報として、製品情報と共に通信範囲規定情報が含まれるようにしたり、ネットワーク接続部１１４を介して外部ネットワーク１２０上のコンテンツデータベース１２１及び課金・決済データベース１２２から取得した付加情報及び課金決済情報に、通信範囲規定情報が含まれるようにしたりすることにより、各製品（各無線ＩＤタグ付記録媒体１００）や各コンテンツ、ユーザが支払う対価などに応じて、無線ＩＤ受信機１１１の電磁波の発信及び受信の態様が制御できるようにすることも可能である。
【００４５】
これによって、例えば、再生すべきコンテンツの種類や課金の種類などに応じて、無線ＩＤタグ付記録媒体１００と無線ＩＤ受信機付再生装置１１０との間で通信が可能となる領域を設定することが可能となり、すなわち、コンテンツの再生や利用の際に、無線ＩＤタグ付記録媒体１００の存在する範囲や、無線ＩＤ受信機付再生装置１１０の利用範囲を制限することが可能となる。したがって、例えば、自宅の外へのコンテンツの不正な流出や、ネットワークを利用したコンテンツの配信を防ぐことに関して、絶大な効果が得られる。また、コンテンツの種類や課金額に応じて、利用可能な距離を変化させる上記の方式を利用することにより、例えば、同じ室内では何人でも利用できるが、異なる室内では別途課金が必要となるような、ソフトウェアやコンテンツの新たなライセンス体系を構築することが可能となる。
【００４６】
また、さらに、ネットワーク接続部１１４やその他の外部出力インターフェイスなどを介して、例えば、ポータブルプレイヤなどの他のコンテンツ再生装置に、コンテンツ格納部１１６に格納されているコンテンツを持ち出す機能（チェックアウト機能）を設けることも可能である。
【００４７】
また、製品ごと又はコンテンツごとに、チェックアウトの可・不可や、チェックアウトが可能ならば最大チェックアウト回数が規定されている場合がある。こうした最大チェックアウト回数に係る情報に関しては、例えば、無線ＩＤタグ付記録媒体１００の無線ＩＤタグ１０１に製品情報と共に記載されている場合もあり、また、コンテンツデータベース１２１や課金・決済データベース１２２から取得可能な場合もある。
【００４８】
すなわち、無線ＩＤ受信機付再生装置１１０は、無線ＩＤタグ付記録媒体１００の無線ＩＤタグ１０１から製品情報と共に最大チェックアウト回数に係る情報を取得したり、コンテンツデータベース１２１や課金・決済データベース１２２を利用して、付加情報や課金決済情報として最大チェックアウト回数に係る情報を取得したりすることが可能である。
【００４９】
そして、無線ＩＤ受信機付再生装置１１０は、取得した最大チェックアウト回数に係る情報を参照して、ネットワーク接続部１１４や外部出力インターフェイスに接続する外部のコンテンツ再生装置や記録媒体にコンテンツの転送を行うことが可能である。なお、この場合には、最大チェックアウト回数を超えるコンテンツの持ち出しは不可能とする。また、もし最大チェックアウト回数を超えてコンテンツの持ち出しが行われた場合には、コンテンツ再生部１１３による直接再生や間接再生を不可能としたり、コンテンツ格納部１１６へのコンテンツの格納を不可能としたりすることによって、コンテンツの不正な複製が行われるのを防ぐことが可能となる。
【００５０】
また、上記の本発明の別の態様として、本発明の無線ＩＤ受信機付再生装置（コンテンツデータ再生装置）１１０で再生可能な記録媒体が提供される。すなわち、本発明の別の態様として、コンテンツを記録することが可能な記録媒体であって、製品を特定するための製品情報を保持し、外部から受信する所定の電磁波を利用して前記製品情報を発信する無線ＩＤタグが取り外し不可能なように設けられている記録媒体が提供される。また、本発明の別の態様として、無線ＩＤタグが、前記所定の電磁波の送信側における前記所定の電磁波の送信及び受信の態様を規定した通信範囲規定情報を保持し、前記製品情報と共に、前記通信範囲規定情報を発信するよう構成されている記録媒体も提供される。
【図面の簡単な説明】
【００５１】
【図１】本発明の実施の形態に係る機器構成図である。
【図２】本発明の実施の形態における間接再生の際にコンテンツ格納部にコンテンツの格納を行うための無線ＩＤ受信機付再生装置の動作を示すフローチャートである。
【図３】本発明の実施の形態における間接再生の際にコンテンツ格納部に格納されたコンテンツの再生を行うための無線ＩＤ受信機付再生装置の動作を示すフローチャートである。
【符号の説明】
【００５２】
１００  無線ＩＤタグ付記録媒体（記録媒体）
１０１  無線ＩＤタグ
１１０  無線ＩＤ受信機付再生装置（コンテンツデータ再生装置）
１１１  無線ＩＤ受信機（無線ＩＤ受信手段）
１１２  コンテンツ読み出し部（コンテンツ読み出し手段）
１１３  コンテンツ再生部（コンテンツ再生手段）
１１４  ネットワーク接続部（ネットワーク接続手段）
１１５  コンテンツ情報処理部（コンテンツ関連付け手段、情報判定手段）
１１６  コンテンツ格納部（コンテンツ格納手段）
１１７  動作範囲制御部（動作範囲制御手段）
１２０  外部ネットワーク
１２１  コンテンツデータベース
１２２  課金・決済データベース
【図１】
2005033728.tif 000003
【図２】
2005033728.tif 000004
【図３】
2005033728.tif 000005